(57)【要約】  無効化されたタグの検出を抑制するための方法、システム、およびコンピュータプログラム製品。その方法、システム、およびコンピュータプログラム製品は、少なくとも１つのタグから環境雑音を含む信号を受信し、受信した信号から、信号検出エネルギー値を含む信号検出情報を抽出し、受信した信号から、信号無効化エネルギー値を含む信号無効化情報を抽出し、信号無効化エネルギー値で除算した信号検出エネルギー値に対応する無効化の失敗率を判定することを含む。無効化の失敗率が選択可能な閾値未満であり、かつ選択可能な閾値を調節するための雑音指数を発生する場合、アラームイベントの発生は抑制される。  【選択図】図１
2010530099.tif 000002
【特許請求の範囲】
【請求項１】
無効化された電子式物品監視タグの検出を抑制する方法であって、
少なくとも１つのタグから信号を受信し、その信号は環境雑音を含み、
前記受信した信号から信号検出情報を抽出し、その受信した信号情報は、信号検出エネルギー値を含み、
前記受信した信号から信号無効化情報を抽出し、前記受信した信号情報は信号無効化エネルギー値を含み、
無効化の失敗率を判定し、その無効化の失敗率は、前記信号無効化エネルギー値で除算した前記信号検出エネルギー値に対応し、
前記無効化の失敗率が選択可能な閾値未満である場合に条件付けられるアラームイベントの発生を抑制することを含む方法。
【請求項２】
１つ以上の検出周波数フィルタの出力から、最高のエネルギー値を有する前記信号検出エネルギー値を選択することをさらに含む請求項１に記載の方法。
【請求項３】
前記信号無効化情報の抽出は、タイムスロットのタグウィンドウ部分の間に、複数のフィルタを使用して、前記受信した信号をフィルタリングすることを含む請求項１に記載の方法。
【請求項４】
前記複数のフィルタは、直交整合フィルタである請求項３に記載の方法。
【請求項５】
前記選択可能な閾値は、動的に調節可能である請求項１に記載の方法。
【請求項６】
複数の受信した信号データフレームをサンプリングして、雑音指数を確立することをさらに含み、その雑音指数は、前記動的に調節可能で選択可能な閾値を調節するために使用される請求項５に記載の方法。
【請求項７】
前記雑音指数の確立は、
前記複数の受信した信号のタイムスロットにわたる最高の検出信号振幅を平均化して、加重平均を生成し、
ローパスフィルタを用いて前記加重平均をフィルタリングすることを含む請求項６に記載の方法。
【請求項８】
前記雑音は、タイムスロット雑音ウィンドウの間に測定される請求項７に記載の方法。
【請求項９】
前記雑音指数で前記選択可能な既定閾値を乗算することにより、前記動的に調節可能で選択可能な閾値を判定することをさらに含む請求項６に記載の方法。
【請求項１０】
無効化されたタグの検出を抑制するためのシステムであって、
少なくとも１つのタグから環境雑音を含む信号を受信する受信機と、
前記受信した信号から信号検出情報を抽出し、その受信した信号情報は信号検出エネルギー値を含む検出周波数フィルタと、
前記受信した信号から信号無効化情報を抽出し、その受信した信号情報は信号無効化エネルギー値を含む無効化周波数フィルタと、
プロセッサとを備え、そのプロセッサは、
無効化の失敗率を判定し、前記無効化の失敗率は、前記信号無効化エネルギー値で除算した前記信号検出エネルギー値に対応し、
かつ前記無効化の失敗率が選択可能な閾値未満である場合に条件付けられるアラームイベントの発生を抑制するように動作するシステム。
【請求項１１】
前記プロセッサはさらに、１つ以上の検出周波数フィルタから最高のエネルギー値を有する前記信号検出エネルギー値を選択するように動作する請求項１０に記載のシステム。
【請求項１２】
前記検出周波数フィルタおよび前記無効化周波数フィルタは、１つ以上の直交整合フィルタから構成される請求項１０に記載のシステム。
【請求項１３】
前記選択可能な閾値は、動的に調節可能である請求項１０に記載のシステム。
【請求項１４】
前記プロセッサはさらに、複数の受信した信号のデータフレームをサンプリングして、雑音指数を確立するように動作し、前記雑音指数は、前記動的に調節可能な選択可能な閾値を調節するために使用される請求項１３に記載のシステム。
【請求項１５】
前記プロセッサはさらに、
前記複数の受信した信号のデータフレームにわたる最良の検出信号振幅を平均化して、加重平均を生成すると共に、
ローパスフィルタを用いて前記加重平均をフィルタリングすることにより、前記雑音指数を確立するように動作する請求項１４に記載のシステム。
【請求項１６】
前記プロセッサはさらに、前記選択可能な既定閾値を前記雑音指数で乗算することによって、前記動的に調節可能で選択可能な閾値を決定するように動作する請求項１４に記載のシステム。
【請求項１７】
前記検出周波数フィルタは、特定の周波数および周波数範囲のうちの１つにおいて信号情報を抽出し、前記無効化周波数フィルタは、既定の周波数において信号情報を抽出する請求項１０に記載のシステム。
【請求項１８】
前記既定の無効化周波数は、実質的に５９，３００Ｈｚである請求項１７に記載のシステム。
【請求項１９】
セキュリティシステムにおけるコンピュータが読み込み可能なプログラムを有するコンピュータ使用可能な媒体を含むコンピュータプログラム製品であって、前記プログラムをコンピュータ上で実行すると、前記コンピュータは、
少なくとも１つのタグから信号を受信し、その信号は環境雑音を含み、
前記受信した信号から信号検出情報を抽出し、その受信した信号情報は、信号検出エネルギー値を含み、
前記受信した信号から信号無効化情報を抽出し、その受信した信号情報は信号無効化エネルギー値を含み、
無効化の失敗率を判定し、その無効化の失敗率は、前記信号無効化エネルギー値で除算した前記信号検出エネルギー値に対応し、
前記無効化の失敗率が選択可能な閾値未満である場合に条件付けられるアラームイベントの発生を抑制することを含む方法を実行するコンピュータプログラム製品。
【請求項２０】
１つ以上の検出周波数フィルタの出力から、最高のエネルギー値を有する前記信号検出エネルギー値を選択することをさらに含み、前記選択可能な閾値は動的に調節可能であり、前記動的調節は雑音指数に基づく請求項１９に記載の方法。
【発明の詳細な説明】
【技術分野】
【０００１】
本発明は、一般に電子セキュリティシステムに関し、特に、セキュリティシステムにおいて無効化されたタグの検出を抑制するための電子式物品監視（ＥＡＳ：ｅｌｅｃｔｒｏｎｉｃ  ａｒｔｉｃｌｅ  ｓｕｒｖｅｉｌｌａｎｃｅ）検出フィルタリングおよび方法に関するものである。
【背景技術】
【０００２】
電子式物品監視（ＥＡＳ）システムは、任意の検出ゾーンの中でマーカー、タグ、またはラベルの識別を可能にする検出システムである。ＥＡＳシステムには、様々な用途があるが、多くの場合は店舗での万引きまたは事務所ビルにある物品の持ち出しを保護するためにセキュリティシステムとして使用されている。ＥＡＳシステムには様々な形態があり、幾つかの異なる技術を採用している。
【０００３】
典型的なＥＡＳシステムは電子検出器、タグ、ラベルおよび／またはマーカー、ならびに取り外し装置または無効化装置を含む。検出器は、例えば台座ユニットとして形成すること、床下に埋め込むこと、壁に取り付けること、および天井から吊るすことが可能である。検出器は一般的に、店舗または事務所ビルの出入り口等の人通りが多い場所に設置される。タグ、ラベルおよび／またはマーカーは特別な特徴を有し、保護する目的のある商品または他の物品へ装着または埋設するように特に設計されるものである。有効タグがタグ検出ゾーンを通ると、ＥＡＳシステムは、所定場所からタグが持ち出されることを示すために、警報を鳴らしたり、ライトを点灯させたり、および／または他の適切な警報装置を有効化する。
【０００４】
一般的なＥＡＳシステムは、送受信機（送信および受信を各々行う）、または分離された送信機および受信機のいずれかを使用して、これらの同一の一般原理によって動作する。典型的に送信機は検出ゾーンの一方の端に設置され、受信機は検出ゾーンの反対側に設置される。送信機はタグ検出ゾーン内に所定励磁信号を発生する。店舗の場合は、この検出ゾーンが一般的に出口に形成される。タグが検出ゾーンに入ると、タグは励磁信号に対して検出できる特徴的な応答が生じる。例えば、タグは送信機により送信された信号に対して、単純な半導体接合部、誘導子およびコンデンサからなる同調回路、軟磁気ストリップあるいはワイヤ、または振動磁気音響共振回路を使用することにより応答してもよい。その後、受信機はこの特徴的な応答を検出する。設計により、このタグの特徴的な応答は独特とされ自然な状況で発生するものではない。
【０００５】
このようなＥＡＳシステムの使用に伴って考慮すべき事項は、誤警報の発生（これは店舗等のＥＡＳシステムユーザの顧客を困惑させ、或いは誰も店舗のＥＡＳシステムを通っていないとき若しくはタグが適切に無効化されていないときに、騒々しく混乱させる警報信号を発生してしまう）を最小化することである。
【０００６】
無効化の失敗（ＦＴＤ：Ｆａｉｌｕｒｅ  ｔｏ  ｄｅａｃｔｉｖａｔｅ）は、すべてのＥＡＳ検出プラットフォームに影響を及ぼす主要な不満要因である。この望ましくない悪影響により、警報を発生する「無効化された」タグに不注意に慣れてしまったために、有効なタグが関与する有効な警報イベントを無視してしまうシステムユーザに重大な信頼問題を引き起こす。この現象は、タグ、またはラベルが適切に無効化されておらず、依然として有効なタグの幾つかの特性、主にスペクトル（周波数）特性を有している場合に発生する。理論上は、有効なタグの固有周波数（特性周波数）は、約５８ｋＨｚである。結果として、多くの検出プラットフォームは、５７．８ｋＨｚから５８．２ｋＨｚに近い動作周波数を有するように設計される。タグが適切に無効化されると、その特性周波数は、通常、６０ｋＨｚ範囲に移動し、所望の周波数検出範囲外にタグを効果的に配置し、したがって、タグは警報イベントを発生させなくなる。しかし、部分的に無効化された、または「損傷した」タグは、５９ｋＨｚ範囲に移動したその特性周波数を有する可能性があり、特に、タグのエネルギーが、その新しいスペクトル（周波数）属性で、十分に大きい場合、潜在的に検出され得る。統計的には、無効化されているタグの約１０％〜１５％は、完全には無効化されていない、本当にわずかに損傷したタグであり、したがって、システムユーザに対するＦＴＤイベントの比較的高い発生をもたらす。
【０００７】
ＦＴＤ問題を解決する試みには、ＴａｂｅｉおよびＭｕｓｉｃｕｓの技法を使用するデジタル周波数推定器を含むが、これは、非線形の出力応答をもたらす非常に複雑なアルゴリズムである。周波数推定器は、「閾値効果」と称される現象に見舞われる。閾値効果は、周波数推定器が、一部の最小入力信号対雑音比（ＳＮＲ）より上では満足に実行するが、その最小ＳＮＲ未満では非常に素早く悪化する際に生じる。この問題は、周波数推定器が、生入力信号で動作しなければならず、低い最小ＳＮＲがほぼ一貫性のないゼロ通過点をもたらすという事実によって増幅される。これらのゼロ通過点は、ＴａｂｅｉおよびＭｕｓｉｃｕｓの技法の基本であり、最終的には頼りにならない周波数推定につながる。したがって、周波数推定器に基づくＦＴＤ基準は信頼できるものではなく、適切に無効化されていないタグによって生じる、高い割合の誤認警報につながる。
【０００８】
検出システムにおいては、無効化されたタグの検出を抑制するために使用することができる方法およびシステムが要請される。
【発明の概要】
【０００９】
本発明は、セキュリティシステムにおいて、無効化された電子式物品監視タグの検出を抑制するための方法、システム、およびコンピュータプログラム製品を有益に提供する。一実施形態において、セキュリティシステムにおいて、無効化されたタグの検出を抑制するための方法は、少なくとも１つのタグから環境雑音を含む信号を受信し、受信した信号から信号検出エネルギー値を含む信号検出情報を抽出し、受信した信号から信号無効化エネルギー値を含む信号無効化情報を抽出し、信号無効化エネルギー値で除算された信号検出エネルギー値に対応する無効化の失敗率を判定し、無効化の失敗率が選択可能な閾値未満である場合に条件付けられるアラームイベントの発生を抑制することを含むことができる。
【００１０】
別の態様によれば、セキュリティシステムにおいて、無効化されたタグの検出を抑制するためのシステムが提供される。このシステムは、少なくとも１つのタグから環境雑音を含む信号を受信する受信機と、受信した信号から信号検出エネルギー値を含む信号検出情報を抽出する検出周波数フィルタと、受信した信号から信号無効化エネルギー値を含む信号無効化情報を抽出する無効化周波数フィルタと、を含む。このシステムはまた、信号無効化エネルギー値で除算された信号検出エネルギー値に対応する無効化の失敗率を判定し、かつ無効化の失敗率が選択可能な閾値未満の場合に条件付けられる警報イベントの発生を抑制するように、動作するプロセッサを含むことができる。
【００１１】
別の態様によると、本発明は、プログラムをコンピュータ上で実行すると、コンピュータが方法を実行する、セキュリティシステムのためのコンピュータが読み込めるプログラムを有するコンピュータで使用可能な媒体を含むコンピュータプログラム製品を提供する。この方法は、少なくとも１つのタグから環境雑音を含む信号を受信し、受信した信号から信号検出エネルギー値を含む信号検出情報を抽出し、受信した信号から信号無効化エネルギー値を含む信号無効化情報を抽出し、信号無効化エネルギー値で除算された信号検出エネルギー値に対応する無効化の失敗率を判定し、無効化の失敗率が選択可能な閾値未満の場合に条件付けられるアラームイベントの発生を抑制することを含む。
【００１２】
下記の説明において本発明のさらなる態様の一部が記載され、その一部は、説明を読むと明らかであるか、または本発明を具体的に実現することにより学び得る。本発明の態様は、添付の請求項において特に指摘された要素および組み合せにより実現され達成される。上記の一般的な説明および下記の発明を実施するための形態の両方が例示および説明にすぎず、請求されている本発明を制限するものではないことを理解されたい。
【図面の簡単な説明】
【００１３】
本発明、ならびにその利点およびその特長は、以下の詳細な説明と共にそれに関連する添付図面を参照することにより容易により完全に理解することができる。
【図１】本発明の原理に従い構成された電子式物品監視検出システムのブロック図である。
【図２】本発明の原理に従って構成された、雑音追跡器を有する図１の電子式物品監視検出システムの検出フィルタリングおよび無効化フィルタリングの実施形態のブロック図である。
【図３】本発明の原理に従う、無効化されたラベルの検出を抑制するための例示的なプロセスのフローチャートである。
【発明を実施するための形態】
【００１４】
同様の参照符号が同様の要素を示す図面を参照すると、図１には、本発明の原理に従って構成され、全体的に符号「１００」で示される例示的システムの概略図が示される。電子式物品監視（ＥＡＳ）検出システム１００は、電子タグから通信信号を受信するように構成された送受信機装置１０２と、受信した電子タグ信号を処理するように、送受信機装置１０２と連通したフロントエンドプロセッサ１０４と、検出周波数フィルタ１０６と、フロントエンドプロセッサ１０４から受信した電子タグ信号のサンプルを受信するためのフロントエンドプロセッサ１０４と連通する無効化の失敗（ＦＴＤ）検出器１０８と、を含む。検出システム１００は、閾値計算機１１０と、検出基準モジュール１１２と、アラーム決定モジュール１１４と、をさらに含むことができる。
【００１５】
送受信機装置１０２は、関連する送信および受信回路と組み合わせた、通信信号を送信および受信する１つ以上のアンテナを含む。送受信機装置１０２は、電子タグから通信信号を受信し、これらの受信した信号をフロントエンドプロセッサ１０４に提供する。フロントエンドプロセッサ１０４は、例えば、１つ以上の帯域通過フィルタと連通する復調器と、アナログ／デジタル変換器と、デジタル信号プロセッサと、種々のタイプの記憶メモリと、を含むことができる。フロントエンドプロセッサ１０４は、送受信機装置１０２から通信信号を受信し、受信した通信信号を処理して、受信した通信信号のサンプルを検出周波数フィルタ１０６およびＦＴＤ検出器１０８に提供する。
【００１６】
検出周波数フィルタ１０６は、特定の周波数、または例えば、５７，８００Ｈｚから５８，２００Ｈｚの検出周波数範囲の周波数で、信号情報を抽出するための１つ以上の検出直交整合フィルタ（ＱＭＦ）を含む。ＦＴＤ検出器１０８は、例えば、５９，０００Ｈｚから５９，３００ＨｚのＦＴＤ周波数範囲の特定の周波数で、信号情報を抽出する、例えば、２０２、２０４、および２０６（図２に図示）といった１つ以上のＦＴＤ  ＱＭＦフィルタを含む。
【００１７】
閾値計算機１１０は、既定閾値、または選択可能な閾値の確立、およびその既定閾値、または選択可能な閾値の修正を行うが、この閾値計算機１１０は、ＦＴＤ検出器１０８およびアラーム決定モジュール１１４にこの閾値を供給する。閾値計算機１１０は、ＱＭＦフィルタ、加算器、除算器等を含むことができる。検出基準モジュール１１２は、信号情報、例えば、検出周波数フィルタ１０６およびＦＴＤ検出器１０８を通過した受信した信号の振幅、エネルギーレベル、および位相を検出することができる。アラーム決定モジュール１１４は、検出基準モジュール１１２から信号情報を受信し、この信号情報を処理して、警報を発生するか抑制するかを判定する。
【００１８】
本発明の一時的な態様を、信号および雑音が測定されている間の単一のタイムスロットを参照して説明する。動作中、問い合わせ信号が送信ウィンドウ（Ｔｘ）の間に送信される。一旦問い合わせ信号が送信されると、問い合わされたタグの応答が見込まれ、測定される間にタグウィンドウが提供される。信号環境を安定化させる同期期間は、タグウィンドウの後に提供される。通信環境の雑音成分を測定することができるように、通信環境が問い合わせおよび応答信号を有していないことが見込まれる間、タイムスロットの残りの部分は、雑音ウィンドウである。
【００１９】
図２は、図１の電子式物品監視検出システム１００の検出フィルタリングおよび無効化フィルタリングの実施形態３００のブロック図である。システム３００は、タグウィンドウの間有効であるタグ検出システム２００と、雑音ウィンドウの間有効である雑音追跡システム３０２と、を含む。したがって、雑音追跡システム３０２およびタグ検出システム２００は、異なる源（それぞれ外部環境雑音およびタグ情報）からデータを取得し、異なる時間でも同様に行う。
【００２０】
タグ検出システム２００は、例えば、ＱＭＦ−１、ＱＭＦ−２、およびＱＭＦ−３といった検出ＱＭＦフィルタ２０２、２０４、および２０６を含み、これらは、フロントエンドプロセッサ１０４からサンプリングされた信号を受信し、例えば、実質的に５７，８００Ｈｚ、５８，０００Ｈｚ、および５８，２００Ｈｚの検出周波数範囲の特定の周波数で、信号情報を抽出する。例えば、ＱＭＦ  ＦＴＤのような別のＱＭＦフィルタ２０８は、フロントエンドプロセッサ１０４から受信した信号を受信し、例えば、実質的に５９，３００Ｈｚのような無効化周波数で信号情報を抽出する。ＭＡＸ計算機２１０は、検出ＱＭＦフィルタ２０２、２０４、および２０６の出力を受信する。ＭＡＸ計算機２１０は、ＱＭＦフィルタ２０２、２０４、および２０６の３つの信号検出出力の信号検出エネルギー値と比較することにより、最良のＱＭＦ値２１２を判定する。ＭＡＸ計算機２１０は、最良のＱＭＦ値２１２をエネルギー比較モジュール２１４に送る。エネルギー比較モジュール２１４は、最良のＱＭＦ値２１２を、ＱＭＦ  ＦＴＤ２０８のエネルギー値で除算して、ＦＴＤ率２１６を判定する。
【００２１】
ＦＴＤ率比較器２１８は、ＦＴＤ率２１６を受信し、雑音指数３２６（以下に説明）によって調節された後、選択可能な既定閾値２２０と比較する。ＦＴＤ率２１６が選択可能な既定閾値２２０を上回る場合、警報イベントが発生される。ＦＴＤ率２１６が、選択可能な既定閾値２２０未満である場合、タグは無効化されたタグであると判定され、警報イベントは抑制される。図２に図示されるタグウィンドウ実施形態２００は、３つの検出ＱＭＦフィルタ２０２、２０４、および２０６を含むが、より多くのまたはより少ない検出ＱＭＦフィルタを、他の実施形態において使用することができることが想定される。
【００２２】
システム３００には、雑音追跡システム３０２が含まれる。検出システム３００は、雑音追跡システム３０２を採用する必要はなく、かつタグ検出ウィンドウ２００の間有効であるタグ検出システムの使用のみによって、上記のようにＦＴＤ率を既定閾値と比較することにより、警報を抑制するか、展開するかを判定することができるが、雑音追跡システム３０２は、選択可能な既定閾値２２０を動的に調節することによって、展開された検出システム３００の環境における過剰な雑音を補うように機能する。雑音追跡システム３０２において、雑音指数３２６が生成され、乗算器３２８を介して選択可能な既定閾値２２０に直接投入され、展開環境において、永続的または半永続的な雑音源に反応する動的閾値３３０を提供する。雑音追跡システム３０２は、例えば、ＱＭＦ−１、ＱＭＦ−２、およびＱＭＦ−３等の雑音検出ＱＭＦフィルタ３０４、３０６、および３０８、ならびに、例えば、ＱＭＦＦＴＤのようなＱＭＦ  ＦＴＤフィルタ３１０を含む。雑音追跡システム３０２は、最良のＱＭＦ値３１４等の検出周波数フィルタ出力を生成するＭＡＸ計算機３１２と、例えば、フィルタされた最良のＱＭＦ値３１８を生成する２０タップのＬＰＦ等のローパスフィルタ（ＬＰＦ）３１６と、エネルギー比較器３２０と、フィルタされたＦＴＤ値３２４をもたらす、例えば、２０タップのＬＰＦのようなＬＰＦ３２２と、雑音指数３２６と、乗算器３２８と、をさらに含む。
【００２３】
ＭＡＸ計算機３１２は、最良のＱＭＦ値３１４を、フィルタリングのために２０タップのＬＰＦ３１６に送る。２０タップのＬＰＦ３１６フィルタは、瞬間スパイクが、雑音指数３２６を直ちに変更またはそれに影響を及ぼさないように、例えば、受信したタグ信号のような受信した検出信号を遅延させる。同様に、２０タップのＬＰＦ３２２は、瞬間スパイクが、雑音指数３２６を直ちに変更またはそれに影響を及ぼさないように、例えば、受信したタグ信号のような受信した無効化信号を遅延させる。代わりに、永続的または半永続的な雑音源のみが、雑音指数３２６に徐々に影響を及ぼすことができ、順次、選択可能な既定閾値２２０を調節する。
【００２４】
例えば、５９，３００Ｈｚの無効化周波数帯域で、高い雑音が存在する際、ＦＴＤ基準が、正当なタグ警報を不当に阻止しないように、フィルタされたＱＭＦ値３１８およびフィルタされたＦＴＤ値３２４をエネルギー比較器３２０に入力することにより、有利に、選択可能な既定閾値２２０を動的に調節することが可能となる。本実施形態において、２０個のデータのフレームにわたる、雑音および受信した信号の加重平均である、雑音指数３２６を提供するように、２０タップのＬＰＦを選択する。より多くの、またはより少ないタップを有するローパスフィルタが、検出システム３００において使用され得ることが想定される。
【００２５】
エネルギー比較器ブロック３２０は、フィルタされた最良のＱＭＦ値３１８を、フィルタされたＱＭＦ  ＦＴＤ値３２４で除算して、雑音指数３２６を判定する。乗算器３２８は、選択可能な既定閾値２２０を、雑音指数３２６で乗算して、動的閾値３３０を生成する。ＦＴＤ率比較器２１８は、ＦＴＤ率２１６を受信し、それを動的閾値３３０と比較する。ＦＴＤ率２１６が動的閾値３３０を上回る場合、警報が発生する。ＦＴＤ率２１６が、動的閾値３３０未満である場合、タグは無効化されたタグであり、警報が抑制される。図２に図示される実施形態は３つの検出ＱＭＦフィルタ３０４、３０６、および３０８を含むが、より多くの、またはより少ない検出ＱＭＦフィルタを他の実施形態において使用することが可能であることが想定される。さらに、分離されたＱＭＦフィルタ、比較器、および最大値計算機等の分離された要素が、タグ検出システム２００および雑音検出システム３０２に示されているが、このような図示は、本発明の理解を支援するためのみのものであり、これらの要素が、異なる時間に、異なるシステム（タグ検出システム２００および雑音検出システム３０２）によって使用される同一の物理要素であることが可能であることを理解されたい。これは、タグ検出システム２００および雑音検出システム３０２は、測定タイムスロット内の異なる期間の間、有効であり、これにより、構成部品を再使用することが可能となるからである。
【００２６】
図３は、本発明の原理に従う、無効化されたラベルの検出を抑制するための例示的なプロセスである。送受信機１０２が初期化され（ステップＳ４０２）、検出システム１００、２００、または３００の展開場所での雑音干渉を最初に得る（ステップＳ４０４）。この情報を使用して、既定閾値、または動的閾値の最初の開始点を確立することができる。最初の測定は、例えば、雑音の加重平均を複数のタイムスロットに提供する雑音検出システム３０２を使用して、複数のフレームにわたり環境をサンプリングすることにより行うことができる。タグウィンドウの間、例えば、検出振幅、検出エネルギーレベル、および検出周波数位相のような信号検出情報を、検出フィルタ２０２、２０４、および２０６を使用して、受信した信号から抽出する（ステップＳ４０６）。例えば、無効化振幅、無効化エネルギーレベル、および無効化周波数位相のような信号無効化情報を、ＱＭＦ  ＦＴＤフィルタ２０８および／または３１０を使用して、受信した信号から抽出する（ステップＳ４０８）。無効化の失敗率２１６は、最良のＱＭＦ値２１２を、ＱＭＦ  ＦＴＤフィルタ２０８のエネルギー値で除算することにより判定される（ステップＳ４１０）。
【００２７】
選択的なステップとして、雑音指数３２６を、雑音ウィンドウの間に得られた雑音データに基づいて算出する（ステップＳ４１２）。例えば、１つ以上の２０タップのローパスフィルタ３１６、３２２は、例えば、２０のタイムスロットのような複数のタイムスロットにわたる、雑音および受信した信号の加重平均を提供するように選択される。本実施形態において、エネルギー比較ブロック３２０は、フィルタされた最良のＱＭＦ３１８エネルギー値をフィルタされたＱＭＦ  ＦＴＤ３２４エネルギー値で除算することにより、雑音指数３２６を算出または生成し、その出力を、最良のＱＭＦ３１４として指定する。最良のＱＭＦ３１４は、２０タップのＬＰＦ３１６に送られ、これは、最良のＱＭＦ３１４をフィルタし、信号および雑音スパイクを円滑化する。２０タップのＬＰＦ３１６はまた、瞬間スパイクが、雑音指数３２６を直ちに変更またはそれに影響を及ぼさないように、例えば、受信したタグ信号のような受信した検出信号を遅延させ、加重平均を提供することができる。同様に、２０タップのＬＰＦ３２２は、無効化ＱＭＦ  ＦＴＤ３１０の出力を処理して、フィルタされたＱＭＦ  ＦＴＤ３２４を、エネルギー比較ブロック３２０に提供する。雑音指数３２６を、選択可能な既定閾値２２０と組み合わせて、動的閾値３３０を生成することができる。
【００２８】
ＦＴＤ率比較器３３２は、ＦＴＤ率２１６を動的閾値３３０と比較する（ステップＳ４１４）。ＦＴＤ率２１６の値が動的閾値３３０の値を超過する場合、警報が発生する（ステップＳ４１６）。換言すると、無効化ＱＭＦ  ＦＴＤフィルタエネルギーレベルに対する検出ＱＭＦフィルタエネルギーレベルの比が、動的閾値３３０の値を上回る場合、タグは有効なタグであるはずであるから、システムは警報イベントを発生すべきである。そうでない場合、例えば、５９，３００Ｈｚのような無効化周波数でのエネルギーは、例えば、５８，０００Ｈｚのような検出周波数でのエネルギーを上回るはずであり、これは、タグが「損傷した」タグであることを示し、警報イベントが抑制されるべきである（ステップＳ４１８）。
【００２９】
本発明は、エネルギーレベル検出を使用して、無効化されたＥＡＳタグまたはラベルによって生じる警報イベントを抑制するためのシステムを有利に提供する。このシステムは、環境雑音の効果を低減する、適応閾値動的雑音追跡器をさらに提供する。
【００３０】
本発明は、ハードウェア、ソフトウェア、またはハードウェアとソフトウェアの組み合せにより実現することができる。本発明の方法およびシステムの実装は、１つのコンピュータシステムによる集中的な方法により、または異なる要素がいくつかの相互接続コンピュータシステムにわたる分散的な方法により、実現することができる。本明細書に記載された方法を行うために適合された、いかなるコンピュータシステム、または他の機器は、本明細書に記載された機能を実行するために適切である。
【００３１】
典型的なハードウェアおよびソフトウェアの組み合せは、一つ以上の処理要素を有する専用または汎用コンピュータシステムと、読み込まれ実行された時に本明細書に記載された方法を行うようにコンピュータシステムを制御する記憶媒体に保存されたコンピュータプログラムとにしてもよい。本発明は、本明細書に記載された方法の実現を可能にする全ての機能を含み、コンピュータシステムに読み込めばこれらの方法を行えるコンピュータプログラム製品に組み込まれてもよい。記憶媒体は、任意の揮発性または不揮発性の記憶デバイスを指すものとする。
【００３２】
本明細書の文脈において、コンピュータプログラムまたはアプリケーションとは、情報処理能力を有するシステムに、直接あるいは（ａ）別の言語、コード、または表記法への変換と、（ｂ）異なる材料形態での復元と、の一方または両方の後に特定の機能を行わせるように意図された命令セットのいかなる言語、コード、または表記法によるいかなる表現をも意味する。さらに、上述に相容れないことが記述されていない限り、全ての添付図面は原寸に比例していないことに留意すべきである。重要なことには、本発明はその目的または本質的な特性から逸脱することなく他の特定の形態として実現することができるので、本発明の範囲を示すものとしては、上述の明細書よりも以下の請求項を参照すべきである。
【００３３】
当業者には、本発明は上記に特に図示されて説明されたものに限定されるものではないことが理解されよう。上記の教示を踏まえると、その目的または本質的な特性から逸脱することなく様々な修正および変更が可能であるから、本発明の範囲を示すものとしては、上述の明細書よりも以下の請求項を参照すべきである。
【図１】
2010530099.tif 000003
【図２】
2010530099.tif 000004
【図３】
2010530099.tif 000005
【国際調査報告】
2010530099.tif 000006
2010530099.tif 000007